【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
表示素子と、
視線検出手段と、
画像取得手段と、
信号処理手段と、
画像情報処理手段と、を備えた情報端末装置であって、
前記画像情報処理手段は、関連情報取得処理部を有し、
前記信号処理手段は、注視点特定処理部と関連情報表示処理部を有し、
前記注視点特定処理部は、前記視線検出手段によって得た視線情報と前記画像取得手段によって取得した画像から、前記画像内における注視点を特定し、
前記関連情報取得処理部は、前記情報端末装置の内部又は外部に設けられたデータベースファイルから、前記注視点における注視対象に関する少なくとも１つの関連情報を取得し、
前記関連情報表示処理部は、前記関連情報が前記注視対象の近傍に位置するように、前記関連情報を前記表示素子上に表示することを特徴とする情報端末装置。
【請求項２】
ビームコンバイナーと、本体部と、を備え、
前記ビームコンバイナーは、前記表示素子からの光を反射させるように前記本体部に配置されていることを特徴とする請求項１に記載の情報端末装置。
【請求項３】
前記関連情報表示処理部が、前記注視対象に関連する関連情報と、予め選択した対象に関連する少なくとも１つの関連情報とを、各対象の近傍に位置するように、前記関連情報の各々を前記表示素子上に表示することを特徴とする請求項１または請求項２に記載の情報端末装置。
【請求項４】
情報入力部を備え、
該情報入力部によって、対象を予め選択することを特徴とする請求項３に記載の情報端末装置。
【請求項５】
前記信号処理手段は、さらに注視範囲算出処理部を有し、
前記注視範囲算出処理部が、前記注視点を基準とした注視範囲を算出し、
前記関連情報表示処理部が、前記注視範囲内に存在する対象の近傍に位置するように、前記関連情報を前記表示素子上に表示することを特徴とする請求項１乃至請求項４のいずれか１項に記載の情報端末装置。
【請求項６】
前記関連情報表示処理部が、前記注視範囲内に表示可能な関連情報のみを、前記表示素子上に表示することを特徴とする請求項５に記載の情報端末装置。
【請求項７】
予め選択した対象を前記注視範囲が含む時に、前記関連情報表示処理部が、対象の近傍に位置するように、前記関連情報を前記表示素子上に表示することを特徴とする請求項５に記載の情報端末装置。
【請求項８】
前記画像情報処理手段が、さらに画像マッチング処理部を有しており、
前記画像マッチング処理部は、前記画像を用いて、前記データベースファイル内に存在する複数の参照画像とのマッチングを行い、
前記関連情報は、前記マッチングによって適合した参照画像に付与された情報であることを特徴とする請求項１乃至請求項４の何れか１項に記載の情報端末装置。
【請求項９】
前記画像情報処理手段が、さらに画像マッチング処理部を有しており、
前記画像マッチング処理部は、前記画像を用いて、前記データベースファイル内に存在する複数の参照画像とのマッチングを行い、
前記関連情報は、前記マッチングによって適合した参照画像に付与された情報であることを特徴とする請求項５乃至請求項７の何れか１項に記載の情報端末装置。
【請求項１０】
前記画像マッチング処理部は、前記画像取得手段によって取得した画像についてマッチングを行うことを特徴とする請求項８または請求項９に記載の情報端末装置。
【請求項１１】
前記画像マッチング処理部は、前記注視範囲内の画像についてマッチングを行うことを特徴とする請求項９に記載の情報端末装置。
【請求項１２】
前記関連情報表示処理部は、前記注視点が移動した際に、移動前の注視点における関連情報を所定の時間だけ表示することを特徴とする請求項１乃至請求項１１の何れか１項に記載の情報端末装置。
【請求項１３】
前記注視範囲が、前記注視点を中心とし、前記画像取得手段の画角の５０％以内の範囲であることを特徴とする請求項５、６、７、９、１１の何れか１項に記載の情報端末装置。
【請求項１４】
前記注視範囲が前記注視点を中心とし、前記ビームコンバイナーを介して観察した時の視野角の５０％以内の範囲であることを特徴とする請求項５、６、７、９、１１、１３の何れか１項に記載の情報端末装置。
【請求項１５】
前記注視範囲が、前記注視点を中心とした弁別視野以内の範囲であることを特徴とする請求項５、６、７、９、１１、１３、１４の何れか１項に記載の情報端末装置。
【請求項１６】
前記注視範囲が、前記注視点を中心とした弁別視野より大きく、弁別視野の２倍以内の範囲であることを特徴とする請求項５，６，７，９，１１，１３，１４の何れか１項に記載の情報端末装置。
【請求項１７】
前記関連情報表示処理部が、前記関連情報の全てを、前記対象の近傍に一括表示することを特徴とする請求項１乃至請求項１６の何れか１項に記載の情報端末装置。
【請求項１８】
前記関連情報表示処理部が、複数の前記関連情報を、前記対象の近傍に分散して表示することを特徴とする請求項１乃至請求項１７の何れか１項に記載の情報端末装置。
【請求項１９】
表示位置に応じて、前記関連情報の内容が決まっていることを特徴とする請求項１乃至請求項１８の何れか１項に記載の情報端末装置。
【請求項２０】
表示位置に応じて、前記関連情報の情報量が決まっていることを特徴とする請求項１乃至請求項１９の何れか１項に記載の情報端末装置。
【請求項２１】
前記注視点と前記注視点対象との距離に応じて、前記関連情報の内容が決まっていることを特徴とする請求項１乃至請求項２０の何れか１項に記載の情報端末装置。
【請求項２２】
前記注視点と前記注視対象の位置との距離に応じて、前記関連情報の情報量が決まっていることを特徴とする請求項１乃至請求項２１の何れか１項に記載の情報端末装置。
【請求項２３】
前記注視点と前記注視対象の位置との距離に応じて、前記関連情報の表示色が変化することを特徴とする請求項１乃至請求項２２の何れか１項に記載の情報端末装置。
【請求項２４】
前記注視点と前記注視対象との距離に応じて、前記関連情報の文字の大きさが変化することを特徴とする請求項１乃至請求項２３の何れか１項に記載の情報端末装置。
【請求項２５】
複数の前記関連情報のうち、前記注視点に最も近い対象に関連する関連情報のみが表示されることを特徴とする請求項１乃至請求項２４の何れかに記載の情報端末装置。
【請求項２６】
前記対象に関連する関連情報が、一定時間表示しつづけることを特徴とする請求項１乃至請求項２５の何れかに記載の情報端末装置。
【請求項２７】
前記関連情報が、重ならないように表示されることを特徴とする請求項１乃至請求項２６の何れか１項に記載の情報端末装置。
【請求項２８】
前記対象近傍に、矢印が表示されることを特徴とする請求項１乃至請求項２７の何れか１項に記載の情報端末装置。
【請求項２９】
前記矢印が点滅することを特徴とする請求項２８に記載の情報端末装置。
【請求項３０】
前記対象の輪郭、あるいは前記矢印の輪郭が強調されることを特徴とする請求項１乃至請求項２９の何れか１項に記載の情報端末装置。
【請求項３１】
前記輪郭が点滅することを特徴とする請求項３０に記載の情報端末装置。
【請求項３２】
前記対象の少なくとも一部に着色が行われることを特徴とする請求項１乃至請求項３１の何れか１項に記載の情報端末装置。
【請求項３３】
前記対象の色と同じ色で、前記関連情報の表示が行われることを特徴とする請求項３２に記載の情報端末装置。
【請求項３４】
前記対象以外がマスクされることを特徴とする請求項１乃至請求項３３の何れか１項に記載の情報端末装置。
【請求項３５】
前記対象が拡大して表示されることを特徴とする請求項１乃至請求項３４の何れか１項に記載の情報端末装置。
【請求項３６】
前記対象のみが、立体感を強調して表示されることを特徴とする請求項１乃至請求項３５の何れかに１項に記載の情報端末装置。
【手続補正２】
【補正対象書類名】明細書
【補正対象項目名】０００９
【補正方法】変更
【補正の内容】
【０００９】
好ましくは、本発明の情報端末装置は、ビームコンバイナーと、本体部と、を備え、前記ビームコンバイナーは、前記表示素子からの光を反射させるように前記本体部に配置されている。
【手続補正３】
【補正対象書類名】明細書
【補正対象項目名】００１６
【補正方法】変更
【補正の内容】
【００１６】
さらに好ましくは、前記画像マッチング処理部は、前記画像取得手段によって取得した画像、または前記注視範囲内の画像についてマッチングを行う。